(57)【要約】【課題】光ディスク装置の筐体を形成する金属板の材料の再選定を行うことなく、機械的強度の確保と軽量化の両立が可能な光ディスク装置を提供することを目的とする。【解決手段】本発明の光ディスク装置は、光ディスクを載置するトレイと、トレイを収納する筐体とを有し、筐体を形成する金属板から、金属板の所定の領域２３を構成する１つの辺を残して他の辺を切断し、所定の領域２３を、切断せずに残した１つの辺２２側に曲げ返すことを特徴とする。【選択図】図８
2007164882.tif 000002
【特許請求の範囲】
【請求項１】
光ディスクを載置するトレイと、前記トレイを収納する筐体とを有し、
前記筐体を形成する金属板から、前記金属板の所定の領域を構成する１つの辺を残して他の辺を切断し、
前記所定の領域を、切断せずに残した前記１つの辺側に曲げ返すことを特徴とする光ディスク装置。
【請求項２】
パーソナルコンピュータに内蔵される光ディスク装置を前記パーソナルコンピュータに取り付ける際に用いる取り付け部は、前記筐体に設けられ、前記金属板を曲げ返して形成されることを特徴とする請求項１に記載の光ディスク装置。
【請求項３】
前記トレイを前記筐体に収納した状態で維持するイジェクトロックシャフトを固定するイジェクトロックシャフト固定部は、前記筐体に設けられ、前記金属板を曲げ返して形成されることを特徴とする請求項１、２のいずれか１項に記載の光ディスク装置。
【請求項４】
光ディスク装置を制御するための制御基板を固定する制御基板固定部は、前記筐体に設けられ、前記金属板を曲げ返して形成されることを特徴とする請求項１〜３のいずれか１項に記載の光ディスク装置。
【請求項５】
前記筐体の主平面部の少なくとも一部は、
前記金属板を曲げ返して形成されることを特徴とする請求項１〜４のいずれか１項に記載の光ディスク装置。
【請求項６】
前記筐体は、上カバーと下カバーとで構成されていることを特徴とする請求項１〜５のいずれか１項に記載の光ディスク装置。
【請求項７】
前記金属板を曲げ返すことにより形成される孔は、シートで覆われていることを特徴とする請求項１〜６のいずれか１項に記載の光ディスク装置。
【請求項８】
前記シートは、導電性シートであることを特徴とする請求項７記載の光ディスク装置。
【発明の詳細な説明】
【技術分野】
【０００１】
本発明は、光ピックアップにより情報の記録または再生の少なくとも一方を行う光ディスク装置に関するものである。
【背景技術】
【０００２】
光ディスク装置は、各方面への応用と高性能化への開発が活発に行われている。特に最近では、光ディスク装置の軽薄化、軽量化が行われると同時に、光ディスク装置全体の強度向上も要求されるようになってきている。電子機器に搭載される光ディスク装置の光ディスクの装着方法としては筐体よりトレイが引き出され、このトレイに光ディスクを載置し、再び筐体に戻して装着する方式（以下トレイ方式と称する）が一般的である。
【０００３】
ここで、従来のトレイ方式光ディスク装置の構成について、図を用いて説明する。
【０００４】
図１７は、従来の光ディスク装置の外観斜視図である。図１７において、１は光ディスク装置、２は筐体、２ａは上部筐体部、２ｂは下部筐体部、３はトレイ、３ａはレール、３ｂはレール保持部、４は光ピックアップモジュール、５はスピンドルモータ、６は金属製カバー、６ａは開口、７はキャリッジ、８はベゼル、１１は孔、１３ａ，１３ｂは筐体側面部である。
【０００５】
光ディスク装置１は、筐体２と、筐体２に収納または引き出し自在に保持されたトレイ３を有している。筐体２は、金属製の上部筐体部２ａ、下部筐体部２ｂを組み合わせて袋状であり、筐体２の開口からトレイ３を収納または引き出しする構成となっている。トレイ３には、裏面から光ピックアップモジュール４が取り付けられている。トレイ３の両側部には移動自在にレール３ａが設けられ、このレール３ａは、トレイ３に一体に設けられたレール保持部３ｂに保持されている。なお、図１７では、一方の側部にのみレール３ａが設けられているが、他方の側面部に同様のレールが設けられていても良い。
【０００６】
上部筐体部２ａと下部筐体部２ｂとは図示していない係止手段と螺旋などを用いて、互いに強固に固定されている。光ピックアップモジュール４には、光ディスクを回転駆動させるスピンドルモータ５と、スピンドルモータ５から外周にかけて開口６ａを設けた金属製カバー６と、開口６ａから一部が露出したキャリッジ７を少なくとも有している。キャリッジ７は、光ピックアップモジュール４に設けられた複数の案内シャフトに移動自在に保持されており、しかも図示していないフィードモータによって、スピンドルモータ５に近づいたり、離れたりするように移動できる。ベゼル８はトレイ３の前面に設けられ、筐体２の開口を塞ぐ程度の大きさで構成されている。キャリッジ７には、高出力のレーザーダイオード等の光源，各種光学部材及び光ディスク上に光スポットを構成する対物レンズなどが搭載されている。
【０００７】
上部筐体部２ａ、下部筐体部２ｂの主平面部と隣り合う筐体側面部１３ａ、１３ｂには他機器への取り付け用孔１１が設けられており、光ディスク装置１がパーソナルコンピュータ内蔵型の場合には、この取り付け用孔１１を利用してパーソナルコンピュータに取り付けが行われる。
【０００８】
図１８は、従来の光ディスク装置の外観平面図であり、図１８（ａ）は上部筐体部側から見た図であり、図１８（ｂ）は下部筐体部側から見た図である。また図１９は、従来の光ディスク装置の透視平面図であり、図１９（ａ）は上部筐体部側から見た図であり、図１９（ｂ）は下部筐体部側から見た図である。図１８、図１９において、２ａは上部筐体部、２ｂは下部筐体部、１０は制御基板固定部、１２は制御基板である。
【０００９】
筐体２の内部には光ディスク装置１を制御するための制御基板１２があり、この制御基板１２は下部筐体部２ｂに設けられた制御基板固定部１０を利用して筐体２と固定される。
【００１０】
図２０は、従来の光ディスク装置のトレイを筐体から引き出した状態の透視平面図であり、上部筐体部側から見た図ある。図２０において、２は筐体、３はトレイ、９ａはイジェクトロックシャフト、９ｂはイジェクトロックシャフト固定部、１２は制御基板である。
【００１１】
筐体２にはイジェクトロックシャフト９ａがイジェクトロックシャフト固定部９ｂを利用して固定されており、図示していないロックアームと係合することによりトレイ３を筐体２に収納した状態で維持することができる。
【００１２】
光ディスク装置は、近年のパーソナルコンピュータの小型化に伴って、小型で軽量なものが求められている。特に、ノートブック型パーソナルコンピュータに搭載される内蔵型光ディスク装置や外付け用の光ディスク装置においては、持ち運びが便利なように機械的強度に優れ、重量が軽いものへの要求が高い。機械的強度と軽量化の両立は使用する材料を考慮することによってある程度は達成できるが、使用できる材料が比較的限られており、材料の選択による機械的強度と軽量化の両立には自ずから限度がある。
【００１３】
この原因として、一般的に材料の選択における機械的強度と軽量化の関係は相反するものであり、機械的強度を追求すると軽量化に支障をきたし、軽量化を追求すると機械的強度に支障をきたすためである。
【００１４】
先行例としては、（特許文献１）等がある。
【特許文献１】実用新案登録第２５１３５６７号公報
【発明の開示】
【発明が解決しようとする課題】
【００１５】
光ディスク装置１において、機械的強度の確保と軽量化を進めるためには、特に光ディスク装置１の中で重量占有比率が大きく、外力に対する強度を確保する筐体２を構成する上部筐体部２ａと下部筐体部２ｂの機械的強度の確保と軽量化が不可欠である。
【００１６】
この対策として、一般的には使用する材料の再選定を行うのであるが、現在の市場が要求するレベルが既存の材料の再選定だけでは到達することができないレベルにあり、特に図１７に示すパーソナルコンピュータに内蔵される光ディスク装置１をパーソナルコンピュータに取り付ける際に用いる取り付け部を形成する孔１１のトルク強度、図１９に示す制御基板１２を固定する制御基板固定部１０を形成する孔のトルク強度、図２０に示すイジェクトロックシャフト固定部９ｂのかしめ強度、図１７に示す筐体２の主平面部中央にかかる外部荷重や光ディスク回転時の吸引による光ディスク装置１内部へのたわみについては、限界のレベルまで達していると思われる。
【００１７】
本発明は、上記の課題を解決するためになされたもので、機械的強度の確保と軽量化の両立が可能な光ディスク装置を提供することを目的とする。
【課題を解決するための手段】
【００１８】
本発明は、上記の課題を解決するためになされたもので、光ディスクを載置するトレイと、トレイを収納する筐体とを有し、筐体を形成する金属板からその金属板の所定の領域を構成する１つの辺を残して他の辺を切断し、その所定の領域を、切断せずに残した１つの辺側に曲げ返すことを特徴とする光ディスク装置である。
【発明の効果】
【００１９】
本発明は上記構成により、筐体を形成する金属板からその金属板の所定の領域を構成する１つの辺を残して他の辺を切断し、その所定の領域を、切断せずに残した１つの辺側に曲げ返すことによって、筐体の肉厚を部分的に倍以上にすることが可能となり、筐体全体の重量を増やすことなく所望の部分の機械的強度を確保することができる。
【００２０】
そのため、機械的強度の確保と軽量化の両立が可能な光ディスク装置を実現することができる。
【発明を実施するための最良の形態】
【００２１】
請求項１記載の発明は、光ディスクを載置するトレイと、トレイを収納する筐体とを有し、筐体を形成する金属板からその金属板の所定の領域を構成する１つの辺を残して他の辺を切断し、その所定の領域を、切断せずに残した１つの辺側に曲げ返すことを特徴とする光ディスク装置である。筐体を形成する金属板からその金属板の所定の領域を構成する１つの辺を残して他の辺を切断し、その所定の領域を、切断せずに残した１つの辺側に曲げ返すことによって、筐体の肉厚を部分的に倍以上にすることが可能となり、筐体全体の重量を増やすことなく所望の部分の機械的強度を確保することができる。そのため、機械的強度の確保と軽量化の両立が可能な光ディスク装置を実現することができる。
【００２２】
請求項２記載の発明は、パーソナルコンピュータに内蔵される光ディスク装置をパーソナルコンピュータに取り付ける際に用いる取り付け部が、筐体に設けられ、金属板を曲げ返して形成されることを特徴とする請求項１に記載の光ディスク装置である。パーソナルコンピュータに内蔵される光ディスク装置をパーソナルコンピュータに取り付ける際に用いる取り付け部が金属板を曲げ返して形成されることによって、その取り付け部を形成する孔の機械的強度を十分に確保することができるため、取り付け部を形成する孔のトルク強度を気にすることなく、筐体材料の軽量化を容易に行うことができる。
【００２３】
請求項３記載の発明は、トレイを筐体に収納した状態で維持するイジェクトロックシャフトを固定するイジェクトロックシャフト固定部が、筐体に設けられ、金属板を曲げ返して形成されることを特徴とする請求項１、２のいずれか１項に記載の光ディスク装置である。トレイを筐体に収納した状態で維持するイジェクトロックシャフトを固定するイジェクトロックシャフト固定部が金属板を曲げ返して形成されることによって、トレイを筐体に収納した状態で維持するイジェクトロックシャフトを固定するイジェクトロックシャフト固定部の機械的強度を十分に確保することができるため、イジェクトロックシャフト固定部のかしめ強度を気にすることなく、筐体材料の軽量化を容易に行うことができる。
【００２４】
請求項４記載の発明は、光ディスク装置を制御するための制御基板を固定する制御基板固定部が、筐体に設けられ、金属板を曲げ返して形成されることを特徴とする請求項１〜３のいずれか１項に記載の光ディスク装置である。光ディスク装置を制御するための制御基板を固定する筐体の制御基板固定部が金属板を曲げ返して形成されることによって、光ディスク装置を制御するための制御基板を固定する制御基板固定部の機械的強度を十分に確保することができるため、制御基板固定部を形成する孔のトルク強度を気にすることなく、筐体材料の軽量化を容易に行うことができる。
【００２５】
請求項５記載の発明は、筐体の主平面部の少なくとも一部が、金属板を曲げ返して形成されることを特徴とする請求項１〜４のいずれか１項に記載の光ディスク装置である。筐体の主平面部の少なくとも一部が金属板を曲げ返して形成されることによって、外部荷重や光ディスク回転による吸引の影響を受けやすい筐体の主平面部における機械的強度を十分に確保することができるため、外部荷重や光ディスク回転時の吸引による筐体主平面部の光ディスク装置内部へのたわみを気にすることなく、筐体材料の軽量化を容易に行うことができる。
【００２６】
請求項６記載の発明は、筐体が、上カバーと下カバーとで構成されていることを特徴とする請求項１〜５のいずれか１項に記載の光ディスク装置である。筐体が、上カバーと下カバーとで構成されていることによって、金属板の曲げ返しを容易に行うことができる。
【００２７】
請求項７記載の発明は、金属板を曲げ返すことにより形成される孔が、シートで覆われていることを特徴とする請求項１〜６のいずれか１項に記載の光ディスク装置である。金属板を曲げ返すことにより形成される孔がシートで覆われていることによって、筐体内にゴミが侵入することを防止することができ、ゴミの侵入による光ディスク装置の性能劣化を防止することができる。また、光ピックアップから発せられるレーザ光が孔によって散乱されて迷光となることを防止することができる。
【００２８】
請求項８記載の発明は、シートが導電性シートであることを特徴とする請求項７記載の光ディスク装置である。シートが導電性シートであることによって、筐体内を電気的に遮蔽することができ、筐体内に電磁波が侵入して光ディスク装置の性能が劣化することを防止すると共に筐体内からの電磁波の放出による周辺機器の誤動作を防止することができる。
【００２９】
（実施の形態１）
以下、本発明の実施の形態１は、パーソナルコンピュータに内蔵される光ディスク装置をパーソナルコンピュータに取り付ける際に用いる取り付け部が、筐体を形成する金属板を曲げ返して形成する場合について説明する。
【００３０】
図１は、本発明の実施の形態１における光ディスク装置の外観斜視図である。図１において、１は光ディスク装置、２は筐体、２ａは上部筐体部、２ｂは下部筐体部、３はトレイ、３ａはレール、３ｂはレール保持部、４は光ピックアップモジュール、５はスピンドルモータ、６は金属製カバー、６ａは開口、７はキャリッジ、８はベゼル、１１は孔、１２は制御基板、１３ａ，１３ｂは筐体側面部、１４は曲げ返し部、１５は孔である。
【００３１】
光ディスク装置１は、筐体２と、筐体２に収納または引き出し自在に保持されたトレイ３を有している。筐体２は、金属製の上部筐体部２ａ、下部筐体部２ｂを組み合わせて袋状であり、筐体２の開口からトレイ３を収納または引き出しする構成となっている。このように、筐体２が上カバーと下カバーとで構成されることによって、後述する金属板の曲げ返しを容易に行うことができる。
【００３２】
上部筐体部２ａと下部筐体部２ｂとは、好ましくは螺旋などを用いて互いに強固に固定されている。筐体２の構成材料としては鉄，鉄合金，アルミニウム，アルミニウム合金、マグネシウム合金等の金属材料によって構成される。また、上部筐体部２ａ及び下部筐体部２ｂはそれぞれ同種の材料で構成しても良いし、異種の材料で構成しても良い。
【００３３】
また、上部筐体部２ａ及び下部筐体部２ｂそれぞれの主平面部の平均肉厚は０．２ｍｍ〜１．６ｍｍの間であり、例えば金属板をプレス加工することによって形成される。
【００３４】
トレイ３は筐体２に収納または引き出し自在に設けられ、樹脂性のフレームで構成されて後述する各部が取り付けられている。
【００３５】
スピンドルモータ５はトレイ３に設けられ、キャリッジ７は少なくとも図示していない光源や各光学部材を搭載し、光ディスクに光を照射することで、光ディスクに情報を記録するか、あるいは情報を再生する動作の少なくとも一方を行う。
【００３６】
ベゼル８はトレイ３の前端面に設けられ、トレイ３が筐体２内に収納された時に、トレイ３の出没口を塞ぐように構成されており、樹脂材料や金属材料で構成されている。
【００３７】
レール３ａはトレイ３及び筐体２の双方に移動自在に取り付けられた断面略コ字型の形状で、トレイ３の両側部にこのレール３ａは設けられており、このレール３ａにトレイ３が取り付けられて収納または引き出しが行われる。
【００３８】
筐体２の奥部には固定して設けられた制御基板１２があり、制御基板１２には信号処理系のＩＣや電源回路などが搭載されており、光ディスク装置１の制御を行っている。トレイ３に設けられた図示していない制御基板１２同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置１内に電力を供給したり、あるいは外部からの電気信号を光ディスク装置１内に導いたり、あるいは光ディスク装置１で生成された電気信号を電子機器などに送出する。
【００３９】
トレイ３の前端面に設けられたベゼル８にはイジェクトボタンが設けられており、このイジェクトボタンを押すことで、筐体２に設けられた係合部（図示せず）とトレイ３に設けられた係合部（図示せず）との係合を解除する。
【００４０】
図２，図３は、本発明の実施の形態１における光ディスク装置の筐体側面図であり、図２は孔１５をシートで覆っていない状態を示し、図３は孔１５をシートで覆っている状態を示したものである。図４、図５は、本発明の実施の形態１における曲げ返し部を示す図であり、図２に示す孔１５をシートで覆っていない状態を示したものである。図４（ａ）は図１に示す筐体側面部１３ａを正面から見た図であり、図４（ｂ）は図４（ａ）のＡ−Ａ´断面図である。また、図５（ａ）も図１に示す筐体側面部１３ａを正面から見た図であり、図５（ｂ）は図５（ａ）のＢ−Ｂ´断面図である。図２〜図５において、２ａは上部筐体部、２ｂは下部筐体部、８はベゼル、１１は取り付け用孔、１３ａは筐体側面部、１４は曲げ返し部、１５は孔、１６はシートである。
【００４１】
パーソナルコンピュータに内蔵される光ディスク装置１では、パーソナルコンピュータに取り付ける際に用いる取り付け部を形成する孔１１が筐体２に設けられている。取り付け部を形成する孔１１は、筐体２を構成する筐体側面部１３ａ、１３ｂに設置されることが多いが、これに限定されるものではない。
【００４２】
ここでは、取り付け部を形成する孔１１が筐体側面部１３ａに設置されている場合について説明する。
【００４３】
下部筐体部２ｂの筐体側面部１３ａには、パーソナルコンピュータへの取り付け部を形成する孔１１が設けられており、この孔１１を利用してパーソナルコンピュータとの取り付けが行われる。
【００４４】
パーソナルコンピュータとの取り付け部には曲げ返し部１４を設け、下部筐体部２ｂの厚み方向に肉厚部を形成する。曲げ返し部１４は、図４に示すように、パーソナルコンピュータとの取り付け用孔１１を設ける領域の周縁部における所定の領域を切り出し、それを曲げ返すことで筐体側面部１３ａの厚みが増すように肉厚部を形成する。そして、形成された曲げ返し部１４を含む筐体２の肉厚部の一部に孔を空けることで孔１１を形成する。ここで、所定の領域とは、取り付け用孔１１が設けられる領域の周縁部における任意の領域で、曲げ返し部１４を形成するために曲げ返しを行った際に、その曲げ返し部１４の少なくとも一部が、取り付け用孔１１を設ける領域に接触することができる領域である。
【００４５】
このようにすることで、パーソナルコンピュータに内蔵される光ディスク装置１をパーソナルコンピュータに取り付ける際に用いる取り付け部を形成する孔１１の機械的強度を十分に確保することができるため、取り付け部を形成する孔１１のトルク強度を気にすることなく、筐体２の材料の軽量化を容易に行うことができる。なお、曲げ返し部１４とその曲げ返し部１４を形成するための孔１５の大きさや形状に制限はない。
【００４６】
本実施の形態１においては、筐体側面部１３ａの厚さが０．２ｍｍ〜０．７ｍｍのものに対して、取り付け部を形成する孔１１の大きさをＭ１．７〜Ｍ２．０とする場合、所定の領域の大きさを５ｍｍ×６ｍｍ程度の四角形とした。そして、その所定の領域を略１８０°曲げ返すことで肉厚部を形成した。肉厚部を形成する曲げ返し部１４は、孔１１を設ける領域の周縁部の少なくとも一部が覆われていれば良く、その曲げ角度は略１８０°に限定されるものではない。パーソナルコンピュータとの取り付け用孔１１を設ける位置によっては、曲げ角度は略１８０°でない場合が好ましいことがある。この場合、曲げ返し部１４は曲げ部となり、曲げ部が形成されることにより曲げ返し部１４と同様の効果を得ることができる。
【００４７】
パーソナルコンピュータとの取り付け用孔１１を設ける領域の周縁部にあいた曲げ返し部１４を形成するための孔１５には、図３に示すようにシート１６を貼り付け、このシート１６で孔１５を覆うことが好ましい。このシート１６は、孔１５からゴミやホコリが筐体２内に侵入することを防止し、ゴミやホコリの侵入による光ディスク装置１の性能劣化を防止するためのものである。併せて、光ピックアップから発せられるレーザ光が孔１５によって散乱され、迷光となることを防止することができる。また、シート１６は導電性のシートであることが好ましく、そうすることにより筐体２内を電気的に遮蔽することができ、筐体２内に電磁波が侵入して光ディスク装置１の性能劣化を防止すると共に筐体２内からの電磁波の放出による周辺機器の誤動作を防止することができる。
【００４８】
なお、本実施の形態１での曲げ返しは、曲げ返し部１４の形状を四角形として、２つ折りで筐体側面部１３ａの外側方向への曲げ返しとしたが、曲げ返しの形状は半円形や五角形、六角形などの多角形でも良く、図５に示すように、曲げ返し部１４を３回以上の複数回の曲げ返しとしても良く、また筐体側面部１３ａの内側方向への曲げ返しとしても良い。
【００４９】
また、本実施の形態１においては、曲げ返し部１４を形成するための孔１５をパーソナルコンピュータとの取り付け用孔１１と同一平面上の筐体側面部１３ａに設けたが、曲げ返し部１４を形成するための孔１５はパーソナルコンピュータとの取り付け用孔１１が存在する筐体側面部１３ａに隣接する平面、例えば下部筐体部２ｂの主平面部に設けても良い。
【００５０】
さらに、本実施の形態１においては、孔１５を覆うシート１６を厚さ０．０５ｍｍ〜０．１５ｍｍで約８〜９ｍｍの四角形の銅シート、アルミシートなどの導電シートとしたが、シート１６の形状、大きさ、厚み、取り付け方法に制限はなく、また、特に電磁波の侵入、放出への対策が不要の場合は銅シート、アルミシートなどの導電シートに代わり、ＰＥＴシートなどの非導電シートでも良い。
【００５１】
次に、筐体に設けられる肉厚部の形成方法について説明する。
【００５２】
図６〜図８は、本発明の実施の形態１における筐体に肉厚部を形成する製造過程を示す図である。製造過程における製造順番は図６、図７、図８の順であり、図６（ａ）と図６（ｂ）、図７（ａ）と図７（ｂ）、図８（ａ）と図８（ｂ）が、それぞれ対応する平面図と斜視図である。図６〜図８において、１３ａは筐体側面部、１４は曲げ返し部、１５は孔、２１は切断部、２２は辺、２３は領域である。
【００５３】
まず、図６に示すように、筐体側面部１３ａを形成する金属板から、その金属板の所定の領域２３を構成する１つの辺２２を残して他の辺を切断する。ここでの切断は、筐体側面部１３ａを挟み込みこんでパンチなどの接触型切断機で切断部２１を形成するが、レーザなどの非接触型切断機で切断部２１を形成しても良い。
【００５４】
次に、図７に示すように、前述の工程で形成された所定の領域２３を、切断せずに残した辺２２側に曲げ返す。ここでの曲げ返しは、筐体２に形成される肉厚部側と反対側から治具などを用いて押し出し、曲げ返す。
【００５５】
最後に、所定の領域２３を、切断せずに残した辺２２側へ更に曲げ返しを行い、最終的に図８に示すような肉厚部を形成する。
【００５６】
本実施の形態１では、所定の領域２３を四角形として、パーソナルコンピュータに内蔵される光ディスク装置１をそのパーソナルコンピュータに取り付ける際に用いる筐体２の取り付け部に適用した。筐体２の取り付け部は図４，図５に示す孔１１となるが、図６、図７、図８に示す製造工程はこの孔１１を空ける前に行う。
【００５７】
なお、本実施の形態１では曲げ返しの最終工程を図８に示すものとしたが、パーソナルコンピュータとの取り付け用孔１１の設けられる位置によっては、曲げ角度は略１８０°でない場合が好ましいことがある。この場合、曲げ返し部１４は曲げ部となり、曲げ部が形成されることにより曲げ返し部１４と同様の効果を得ることができる。
【００５８】
また、本実施の形態１の場合、所定の領域２３を四角形としたが、これに限定されるものではなく、半円形や五角形、六角形などの多角形でも良い。
【００５９】
以上の内容により、筐体２を形成する金属板からその金属板の所定の領域２３を構成する１つの辺２２を残して他の辺を切断し、その所定の領域２３を、切断せずに残した１つの辺２２側に曲げ返すことによって、筐体２の肉厚を部分的に倍以上にすることが可能となり、筐体２全体の重量を増やすことなく所望の部分の機械的強度を確保することができる。このことにより、パーソナルコンピュータに内蔵される光ディスク装置１をパーソナルコンピュータに取り付ける際に用いる取り付け部が、金属板を曲げ返して形成されることによって、その取り付け部を形成する孔１１の機械的強度を十分に確保することができるため、取り付け部を形成する孔１１のトルク強度を気にすることなく、筐体２の材料に肉厚の薄い鉄、鉄合金、アルミニウム、アルミニウム合金などの軽量材料を使用することができる。そのため、機械的強度の確保と軽量化の両立が可能な光ディスク装置１を実現することができる。
【００６０】
なお、本実施の形態１においては、取り付け用孔１１が筐体２を構成する下部筐体部２ｂの筐体側面部１３ａに設置されている場合について説明したが、取り付け用孔１１は下部筐体部２ｂの筐体側面部１３ｂや上部筐体部２ａの筐体側面部１３ａ、１３ｂや上部筐体部２ａの主平面部、下部筐体部２ｂの主平面部などにあっても良い。また、取り付け用孔１１は、パーソナルコンピュータに取り付ける孔１１に限定されるものではなく、他の電子機器でも良い。
【００６１】
（実施の形態２）
以下、本発明の実施の形態２であるトレイを筐体に収納した状態で維持するイジェクトロックシャフトを固定するイジェクトロックシャフト固定部や、光ディスク装置１を制御するための制御基板を固定する制御基板固定部が、筐体を形成する金属板を曲げ返して形成する場合について説明する。
【００６２】
図９は、本発明の実施の形態２における光ディスク装置のトレイを筐体から引き出した状態の透視平面図であり、光ディスク装置から上部筐体部２ａを取り除いて内部のイジェクトロックシャフト固定部９ｂと制御基板固定部１０がわかるようにしたものである。光ディスク装置全体の構成は実施の形態１と同様である。図９において、１は光ディスク装置、２は筐体、３はトレイ、３ａはレール、３ｂはレール保持部、４は光ピックアップモジュール、５はスピンドルモータ、６は金属製カバー、７はキャリッジ、８はベゼル、９ａはイジェクトロックシャフト、９ｂはイジェクトロックシャフト固定部、１０は制御基板固定部、１２は制御基板、１４は曲げ返し部、１５は孔である。
【００６３】
筐体２には、筐体２に設けられた係合部（図示せず）とトレイ３に設けられた係合部（図示せず）との係合を行い、トレイ３を筐体２に収納した状態で維持するイジェクトロックシャフト９ａを固定するイジェクトロックシャフト固定部９ｂと光ディスク装置１を制御する制御基板１２を固定する制御基板固定部１０が設けられている。イジェクトロックシャフト固定部９ｂと制御基板固定部１０は、筐体２を構成する上部筐体部２ａまたは下部筐体部２ｂの主平面部に設置されることが多いが、これに限定されるものではない。
【００６４】
ここでは、イジェクトロックシャフト固定部９ｂと制御基板固定部１０が、筐体２を構成する下部筐体部２ｂの主平面部に設置される場合について説明する。
【００６５】
下部筐体部２ｂの主平面部には、トレイ３を筐体２に収納した状態で維持するイジェクトロックシャフト９ａを固定するイジェクトロックシャフト固定部９ｂや、光ディスク装置１を制御するための制御基板１２を固定する制御基板固定部１０を形成する孔が設けられており、これらを利用してイジェクトロックシャフト９ａや制御基板１２の固定が行われる。
【００６６】
イジェクトロックシャフト固定部９ｂや制御基板固定部１０には、曲げ返し部１４を設け、下部筐体部２ｂの厚み方向に肉厚部を形成する。曲げ返し部１４は、図４に示す実施の形態１と同様に、イジェクトロックシャフト固定部９ｂや制御基板固定部１０を設ける領域の周縁部における所定の領域を切り出し、それを曲げ返すことで下部筐体部２ｂの厚みが増すように肉厚部を形成する。そして、形成された曲げ返し部１４を含む筐体２の肉厚部の一部に孔を空けることで、イジェクトロックシャフト固定部９ｂや制御基板固定部１０を形成する。ここで、所定の領域とは、イジェクトロックシャフト固定部９ｂや制御基板固定部１０が設けられる領域の周縁部における任意の領域で、曲げ返し部１４を形成するために曲げ返しを行った際に、その曲げ返し部１４の少なくとも一部が、イジェクトロックシャフト固定部９ｂや制御基板固定部１０を設ける領域に接触することができる領域である。
【００６７】
このようにすることで、トレイ３を筐体２に収納した状態で維持するイジェクトロックシャフト９ａを固定するイジェクトロックシャフト固定部９ｂの機械的強度を十分に確保することができるため、イジェクトロックシャフト固定部９ｂのかしめ強度を気にすることなく、筐体２の材料の軽量化を容易に行うことができる。なお、曲げ返し部１４とその曲げ返し部１４を形成するための孔１５の大きさや形状に制限はない。
【００６８】
本実施の形態２においては、筐体２の厚さが０．２ｍｍ〜０．７ｍｍのものに対して、イジェクトロックシャフト固定部９ｂの大きさをφ２〜φ４とする場合や、制御基板固定部１０を形成する孔の大きさをＭ２とする場合、所定の領域２３の大きさを５ｍｍ×６ｍｍ程度の四角形のものとした。そして、所定の領域２３を略１８０°曲げ返すことで肉厚部を形成した。肉厚部を形成する曲げ返し部１４は、イジェクトロックシャフト固定部９ｂや制御基板固定部１０を設ける領域の少なくとも一部が接触していれば良く、その曲げ角度は略１８０°に限定されるものではない。イジェクトロックシャフト固定部９ｂや制御基板固定部１０を形成する孔を設ける位置によっては、曲げ角度は略１８０°でない場合が好ましいことがある。この場合、曲げ返し部１４は曲げ部となり、曲げ部が形成されることにより曲げ返し部１４と同様の効果を得ることができる。
【００６９】
イジェクトロックシャフト固定部９ｂや制御基板固定部１０を設ける領域の周縁部にあいた曲げ返し部１４を形成するための孔１５には、実施の形態１と同様に、シート１６を貼り付け、このシート１６で孔１５を覆うことが好ましい。このシート１６は、孔１５からゴミやホコリが筐体２内に侵入することを防止し、ゴミやホコリの侵入による光ディスク装置１の性能劣化を防止するためのものである。併せて、光ピックアップから発せられるレーザ光が孔１５によって散乱され、迷光となることを防止することができる。また、シート１６は導電性のシートであることが好ましく、そうすることにより筐体２内を電気的に遮蔽することができ、筐体２内に電磁波が侵入して光ディスク装置１の性能劣化を防止すると共に筐体２内からの電磁波の放出による周辺機器の誤動作を防止することができる。
【００７０】
なお、本実施の形態２での曲げ返しは、本実施の形態１の場合と同様に、曲げ返し部１４の形状を四角形として、２つ折りで下部筐体部２ｂの主平面部の外側方向への曲げ返しとしたが、曲げ返しの形状は円形、半円形や五角形、六角形等の多角形でも良く、また曲げ返し部１４を３回以上の複数回の曲げ返しとしても良く、さらに下部筐体側面部１３ａ、１３ｂの内側方向への曲げ返しとしても良い。
【００７１】
また、本実施の形態２においては、曲げ返し部１４を形成するための孔１５をイジェクトロックシャフト固定部９ｂや制御基板固定部１０と同一平面上の下部筐体部２ｂの主平面部に設けたが、曲げ返し部１４を形成するための孔１５はイジェクトロックシャフト固定部９ｂや制御基板固定部１０が存在する下部筐体部２ｂに隣接する平面、例えば筐体側面部１３ａ、１３ｂに設けられても良く、また上部筐体部２ａの主平面部に設けられても良い。
【００７２】
さらに、本実施の形態２においては、孔１５を覆うシート１６を厚さ０．０５ｍｍ〜０．１５ｍｍで約８〜９ｍｍの四角形の銅シート、アルミシートなどの導電シートとしたが、シート１６の形状、大きさ、厚み、取り付け方法に制限はなく、また、特に電磁波の侵入、放出への対策が不要の場合は銅シート、アルミシートなどの導電シートに代わり、ＰＥＴシートなどの非導電シートでも良い。
【００７３】
次に、筐体に設けられる肉厚部の形成方法について説明する。
【００７４】
本実施の形態２における筐体２に設けられる肉厚部の形成方法は、図６〜図８に示す実施の形態１の場合と同様で、肉厚部を形成する部分が異なる。
【００７５】
本実施の形態２では、所定の領域２３を四角形として、トレイ３を筐体２に収納した状態で維持するイジェクトロックシャフト９ａを固定するイジェクトロックシャフト固定部９ｂや、光ディスク装置１を制御するための制御基板１２を固定する制御基板固定部１０に適用した。トレイ３を筐体２に収納した状態で維持するイジェクトロックシャフト９ａを固定するイジェクトロックシャフト固定部９ｂは、図９に示すイジェクトロックシャフト固定部９ｂであり、光ディスク装置１を制御するための制御基板１２を固定する制御基板固定部１０は、図９に示す制御基板固定部１０となるが、図６、図７、図８に示す製造工程はイジェクトロックシャフト固定部９ｂを形成するための孔や、制御基板固定部１０を空ける前に行う。
【００７６】
なお、本実施の形態２では曲げ返しの最終工程を図８に示すものとしたが、イジェクトロックシャフト固定部９ｂを形成する孔や制御基板固定部１０を形成する孔の設けられた位置によっては、曲げ角度は略１８０°でない場合が好ましいことがある。この場合、曲げ返し部１４は曲げ部となり、曲げ部が形成されることにより曲げ返し部１４と同様の効果を得ることができる。
【００７７】
また、本実施の形態２の場合、所定の領域２３を四角形としたが、これに限定されるものではなく、半円形や五角形、六角形などの多角形でも良い。
【００７８】
以上の内容により、筐体２を形成する金属板からその金属板の所定の領域２３を構成する１つの辺２２を残して他の辺を切断し、その所定の領域２３を、切断せずに残した１つの辺２２側に曲げ返すことによって、筐体２の肉厚を部分的に倍以上にすることが可能となり、筐体２全体の重量を増やすことなく所望の部分の機械的強度を確保することができる。このことにより、トレイ３を筐体２に収納した状態で維持するイジェクトロックシャフト９ａを固定するイジェクトロックシャフト固定部９ｂの機械的強度を十分に確保することができるため、イジェクトロックシャフト固定部９ｂのかしめ強度を気にすることなく、筐体２の材料に肉厚の薄い鉄、鉄合金、アルミニウム、アルミニウム合金などの軽量材料を使用することができる。また、光ディスク装置１を制御するための制御基板１２を固定する制御基板固定部１０の機械的強度を十分に確保することができるため、制御基板固定部１０を形成する孔のトルク強度を気にすることなく、筐体２の材料に肉厚の薄い鉄、鉄合金、アルミニウム、アルミニウム合金などの軽量材料を使用することができる。
【００７９】
そのため、機械的強度の確保と軽量化の両立が可能な光ディスク装置を実現することができる。
【００８０】
なお、本実施の形態２においては、イジェクトロックシャフト固定部９ｂや制御基板固定部１０が、下部筐体部２ｂの主平面部に設置される場合について説明したが、イジェクトロックシャフト固定部９ｂや制御基板固定部１０は上部筐体部２ａの主平面部や筐体側面部１３ａ、１３ｂにあっても良い。
【００８１】
（実施の形態３）
以下、本発明の実施の形態３は、筐体の主平面部の少なくとも一部が、筐体を形成する金属板を曲げ返して形成される場合について説明する。
【００８２】
図１０は、本発明の実施の形態３における光ディスク装置の外観斜視図であり、光ディスク装置全体の構成は実施の形態１、実施の形態２と同様である。図１１は本発明の実施の形態３における曲げ返し部を示す図であり、図１１（ａ）は図１０に示す上部筐体部２ａの一部を示す拡大図であり、図１１（ｂ）は図１１（ａ）のＣ−Ｃ´断面図である。図１２は、本発明の実施の形態３における光ディスク装置の上部筐体部を示す図である。図１３も、本発明の実施の形態３における光ディスク装置の上部筐体部を示す図であり、図１３（ａ）は上部筐体部を示す平面図、図１３（ｂ）は図１３（ａ）に示す上部筐体部のＰ−Ｐ´断面図である。また、図１４〜図１６も、本発明の実施の形態３における光ディスク装置の上部筐体部を示す図である。図１０〜図１６において、１は光ディスク装置、２は筐体、２ａは上部筐体部、２ｂは下部筐体部、３はトレイ、３ａはレール、３ｂはレール保持部、４は光ピックアップモジュール、５はスピンドルモータ、６は金属製カバー、７はキャリッジ、８はベゼル、１４は曲げ返し部、１５は孔、１７は曲げ部である。
【００８３】
筐体２を構成する上部筐体部２ａ、下部筐体部２ｂの主平面部は、その構造上外部荷重がかかるとたわみやすい部分である。また、上部筐体部２ａ、下部筐体部２ｂの主平面部は、光ディスク回転による吸引の影響を受ける部分でもある。
【００８４】
ここでは、筐体２の主平面部の一例として、上部筐体部２ａを用いて説明する。
【００８５】
上部筐体部２ａの少なくとも一部には、曲げ返し部１４を設け、上部筐体部２ａの厚み方向に肉厚部を形成する。曲げ返し部１４は、図１１に示すように、上部筐体部２ａの主平面部における所定の領域２３を切り出し、それを曲げ返すことで上部筐体部２ａの厚みが増すように肉厚部を形成する。ここで、所定の領域２３とは、上部筐体部２ａの主平面部における任意の領域である。
【００８６】
このようにすることで、外部荷重や光ディスク回転による吸引の影響を受けやすい筐体２の主平面部における機械的強度を十分に確保することができるため、外部荷重や光ディスク回転時の吸引による筐体２の主平面部の光ディスク装置１内部へのたわみを気にすることなく、筐体２の材料の軽量化を容易に行うことができる。なお、曲げ返し部１４とその曲げ返し部１４を形成するための孔１５の大きさや形状に制限はない。
【００８７】
本実施の形態３においては、筐体２の厚さが０．２ｍｍ〜０．７ｍｍのものに対して、所定の領域２３の大きさを５ｍｍ×１００ｍｍ程度の四角形や５ｍｍ×８０ｍｍ程度の四角形として、それを複数個設けた。このとき、曲げ返し部１４は上部筐体部２ａの主平面部の少なくとも一部に配置する。そして、切り出された上部筐体部２ａの一部を略１８０°曲げ返して肉厚部を形成した。肉厚部を形成する曲げ返し部１４は筐体２の主平面部に設けられ、これにより、曲げ返しを行った部分が梁の役目を果たし、曲げ返しを行った部分もしくは筐体２の主平面部全体の強度を向上することができる。このようにすることで、外部荷重や光ディスク回転による吸引の影響を受けやすい筐体２の主平面部における機械的強度を十分確保することができるため、外部荷重や光ディスク回転時の吸引による筐体２の主平面部の光ディスク装置１内部へのたわみを気にすることなく、筐体２の材料の軽量化を容易に行うことができる。
【００８８】
なお、曲げ返し部１４の曲げ角度は略１８０°に限定されるものではない。パーソナルコンピュータに内蔵される光ディスク装置１がパーソナルコンピュータに取り付けられた際に、パーソナルコンピュータの内部に配置された部品と光ディスク装置１との間の空間が大きい場合には、曲げ角度は略１８０°に限定されるものではない。また、曲げ返し部１４の個数も好ましくは複数個であるが、少なくとも１つの場合でも良い。曲げ返し部１４の曲げ角度が略１８０°に満たない場合には、図１３（ｂ）に示すように、曲げ返し部１４は曲げ部１７となり、曲げ部１７が形成されることにより曲げ返し部１４と同様の効果を得ることができる。
【００８９】
上部筐体部２ａにあいた曲げ返し部１４を形成するための孔１５には、実施の形態１、実施の形態２と同様に、シート１６を貼り付け、このシート１６で孔１５を覆うことが好ましい。このシート１６は、孔１５からゴミやホコリが筐体２内に侵入することを防止し、ゴミやホコリの侵入による光ディスク装置１の性能劣化を防止するためのものである。併せて、光ピックアップから発せられるレーザ光が孔１５によって散乱され、迷光となることを防止することができる。また、シート１６は導電性のシートであることが好ましく、そうすることにより筐体２内を電気的に遮蔽することができ、筐体２内に電磁波が侵入して光ディスク装置１の性能劣化を防止すると共に筐体２内からの電磁波の放出による周辺機器の誤動作を防止することができる。
【００９０】
なお、本実施の形態３での曲げ返しは、本実施の形態１、本実施の形態２の場合と同様に、曲げ返し部１４の形状を四角形として、２つ折りで下部筐体部２ｂの主平面部の外側方向への曲げ返しとしたが、曲げ返しの形状は半円形や五角形、六角形等の多角形でも良く、また曲げ返し部１４を３回以上の複数回の曲げ返しとしても良く、さらに上部筐体部２ａの主平面部の内側方向への曲げ返しとしても良い。
【００９１】
上部筐体部２ａの主平面部上における曲げ返し部１４の配置は、図１２に示すもの以外に、図１４に示すように曲げ返し部１４の長手方向がトレイ３の収納方向と平行になっても良く、図１５に示すように曲げ返し部１４の長手方向がトレイ３の収納方向に対して略４５°になっても良い。また、上部筐体部２ａの主平面部上における曲げ返し部１４と孔１５の配置は、図１６に示すように図１５と図１６の組み合わせになっても良い。
【００９２】
さらに、本実施の形態３においては、曲げ返し部１４を形成するための孔１５を曲げ返し部１４に隣接する同一平面上の上部筐体部２ａの主平面部に設けたが、曲げ返し部１４を形成するための孔１５は、上部筐体部２ａや下部筐体部２ｂに隣接する平面、例えば筐体側面部１３ａ、１３ｂに設けても良い。
【００９３】
さらにまた、本実施の形態３においては、孔１５を覆うシート１６を厚さ０．０５ｍｍ〜０．１５ｍｍで約１０ｍｍ×１２０ｍｍの四角形や約１０ｍｍ×１００ｍｍの四角形の銅シート、アルミシートなどの導電シートとした。シート１６の形状、大きさ、厚み、取り付け方法に制限はなく、また、特に電磁波の侵入、放出への対策が不要の場合は銅シート、アルミシートなどの導電シートに代わり、ＰＥＴシートなどの非導電シートでも良い。
【００９４】
次に、筐体に設けられる肉厚部の形成方法について説明する。
【００９５】
本実施の形態３における筐体２に設けられる肉厚部の形成方法は、図６〜図８に示す実施の形態１の場合と同様で、肉厚部を形成する部分が異なる。
【００９６】
本実施の形態３では、所定の領域２３を四角形として、上部筐体部２ａの主平面部の少なくとも一部に適用した。上部筐体部２ａの少なくとも一部は、例えば、図１２〜図１６に示すものとなる。
【００９７】
なお、本実施の形態３では曲げ返しの最終工程を図８に示すものとしたが、その曲げ角度は略１８０°に限定されるものではない。パーソナルコンピュータに内蔵される光ディスク装置１がパーソナルコンピュータに取り付けられた際に、パーソナルコンピュータの内部に配置された部品と光ディスク装置１との間の空間が大きい場合には、曲げ角度は略１８０°に限定されるものではない。また、曲げ返し部１４の個数も好ましくは複数個であるが、少なくとも１つの場合でも良い。曲げ返し部１４の曲げ角度が略１８０°に満たない場合には、図１３（ｂ）に示すように、曲げ返し部１４は曲げ部１７となり、曲げ部１７が形成されることにより曲げ返し部１４と同様の効果を得ることができる。
【００９８】
また、本実施の形態１の場合、所定の領域２３を四角形としたが、これに限定されるものではなく、半円形や五角形、六角形などの多角形でも良い。
【００９９】
以上の内容により、筐体２を形成する金属板から、その金属板の所定の領域２３を構成する１つの辺２２を残して他の辺を切断し、その所定の領域２３を、切断せずに残した１つの辺２２側に曲げ返すことによって、筐体２の肉厚を部分的に倍以上にすることが可能となり、筐体２全体の重量を増やすことなく所望の部分の機械的強度を確保することができる。
【０１００】
このことにより、外部荷重や光ディスク回転による吸引の影響を受けやすい筐体２の主平面部における機械的強度を十分に確保することができるため、外部荷重や光ディスク回転時の吸引による筐体２の主平面部の光ディスク装置１内部へのたわみを気にすることなく、筐体２の材料に肉厚の薄い鉄、鉄合金、アルミニウム、アルミニウム合金などの軽量材料を使用することができる。
【０１０１】
そのため、機械的強度の確保と軽量化の両立が可能な光ディスク装置１を実現することができる。
【０１０２】
なお、本実施の形態３においては、筐体２の主平面部の一例として上部筐体部２ａを用いて説明したが、筐体２の主平面部は下部筐体部２ｂの主平面部であっても良い。
【０１０３】
また、（実施の形態１）から（実施の形態３）に記載した構成を組み合わせて同時に満たす構成とすることで、より軽い光ディスク装置を実現することができる。
【産業上の利用可能性】
【０１０４】
本発明は、機械的強度の向上と軽量化の両立ができるため、光ピックアップにより情報の記録または再生の少なくとも一方を行う光ディスク装置などに適応可能である。
【図面の簡単な説明】
【０１０５】
【図１】本発明の実施の形態１における光ディスク装置の外観斜視図
【図２】本発明の実施の形態１における光ディスク装置の筐体側面図
【図３】本発明の実施の形態１における光ディスク装置の筐体側面図
【図４】本発明の実施の形態１における曲げ返し部を示す図
【図５】本発明の実施の形態１における曲げ返し部を示す図
【図６】本発明の実施の形態１における筐体に肉厚部を形成する製造過程を示す図
【図７】本発明の実施の形態１における筐体に肉厚部を形成する製造過程を示す図
【図８】本発明の実施の形態１における筐体に肉厚部を形成する製造過程を示す図
【図９】本発明の実施の形態２における光ディスク装置のトレイを筐体から引き出した状態の透視平面図
【図１０】本発明の実施の形態３における光ディスク装置の外観斜視図
【図１１】本発明の実施の形態３における曲げ返し部を示す図
【図１２】本発明の実施の形態３における光ディスク装置の上部筐体部を示す図
【図１３】本発明の実施の形態３における光ディスク装置の上部筐体部を示す図
【図１４】本発明の実施の形態３における光ディスク装置の上部筐体部を示す図
【図１５】本発明の実施の形態３における光ディスク装置の上部筐体部を示す図
【図１６】本発明の実施の形態３における光ディスク装置の上部筐体部を示す図
【図１７】従来の光ディスク装置の外観斜視図
【図１８】従来の光ディスク装置の外観平面図
【図１９】従来の光ディスク装置の透視平面図
【図２０】従来の光ディスク装置のトレイを筐体から引き出した状態の透視平面図
【符号の説明】
【０１０６】
１    光ディスク装置
２    筐体
２ａ    上部筐体部
２ｂ    下部筐体部
３    トレイ
３ａ    レール
３ｂ    レール保持部
４    光ピックアップモジュール
５    スピンドルモータ
６    金属製カバー
６ａ    開口
７    キャリッジ
８    ベゼル
９ａ    イジェクトロックシャフト
９ｂ    イジェクトロックシャフト固定部
１０    制御基板固定部
１１    孔
１２    制御基板
１３ａ    筐体側面部
１３ｂ    筐体側面部
１４    曲げ返し部
１５    孔
１６    シート
１７    曲げ部
２１    切断部
２２    辺
２３    領域
【図１】
2007164882.tif 000003
【図２】
2007164882.tif 000004
【図３】
2007164882.tif 000005
【図４】
2007164882.tif 000006
【図５】
2007164882.tif 000007
【図６】
2007164882.tif 000008
【図７】
2007164882.tif 000009
【図８】
2007164882.tif 000010
【図９】
2007164882.tif 000011
【図１０】
2007164882.tif 000012
【図１１】
2007164882.tif 000013
【図１２】
2007164882.tif 000014
【図１３】
2007164882.tif 000015
【図１４】
2007164882.tif 000016
【図１５】
2007164882.tif 000017
【図１６】
2007164882.tif 000018
【図１７】
2007164882.tif 000019
【図１８】
2007164882.tif 000020
【図１９】
2007164882.tif 000021
【図２０】
2007164882.tif 000022